【手続補正書】
【提出日】平成17年1月12日(2005.1.12)
【手続補正１】
【補正対象書類名】特許請求の範囲
【補正対象項目名】全文
【補正方法】変更
【補正の内容】
【特許請求の範囲】
【請求項１】
バレル（５）に取付けられるタイヤカーカスを造形するドラムであって、該ドラムは、上記バレルに取付けられ、造形すべきカーカス（２）のビードを保持するための２つの装置（７、８）と、バレル（５）のまわりに周方向に配置されるプレート（３１）の外面（３１０）すべてにより構成される上記カーカス用の受け面（３０）と、機械的拡張手段とを備え、該機械的拡張手段は、プレート（３１）ごとに、Uリンク（３２）とバレル（５）上で軸方向に変位可能であるクラウン（３５）との間に関節接合される２つのアーム（３３、３４）と、上記アームのうちの一方（３３）とバレル（５）に固定されて取付けられるクラウン（３７）との間に関節接合されるカウンタアーム（３６）とを備え、カウンタアーム（３６）とクラウン（３７）によってつくられる係止と組み合わされたクラウン（３５）の軸方向変位により、ドラム（１）の引込み位置と拡張位置との間でプレート（３１）を半径方向に変位させるドラムにおいて、プレート（３１）は、ドラム（１）の軸線と平行な軸線を中心としてプレート（３１）を枢動させる各プレート（３１）の内面（３１１）に位置決めされた関節（３８）によってUリンク（３２）に連結されており、またガイド手段（４３）を備えており、該ガイド手段（４３）により、各プレート（３１）は、その内面（３１１）に沿って、隣接プレートのガイド手段に圧接してドラムの拡張位置における一定の半径方向高さでの各プレートの外面の位置決めを許容し、且つ関節（３８）に対する傾動を許容し、プレート（３１）がドラム（１）の引込み位置において互いに重ねられるようになっていることを特徴とする造形ドラム。
【請求項２】
各プレート(３１)用のガイド手段は上記プレートの内面（３１１）により支持されたカム（３１２）と、隣接プレートのカム（３１２）と協働するガイドローラ（４３）とを備えていることを特徴とする請求項１に記載のドラム。
【請求項３】
各プレート（３１）のカム（３１２）は周方向に延びており、その端部の各々が隣接プレートのガイドローラ（４３）を受入れるハウジング（３１３、３１４）に開口しており、各プレート（３１）により支持された２つのハウジング（３１３、３１４）はドラム（１）の拡張位置および引込み位置にそれぞれ対応することを特徴とする請求項２に記載のドラム。
【請求項４】
調整装置（３１３、４３）がドラム（１）の拡張の最終直径を数ミリ程度に調整することを特徴とする請求項１ないし３のいずれか１項に記載のドラム。
【請求項５】
調整装置はドラム（１）の拡張位置に対応する各プレート（３１）を受入れるハウジング（３１３）を備えており、該ハウジング（３１３）はその長さが隣接プレートのガイドローラ（４３）の異なる安定な位置決め作動を許容するように周方向に延長されていることを特徴とする請求項３または４に記載のドラム。
【請求項６】
弾性スリーブ（４１）が、カム（３１２）、プレートのハウジング（３１３、３１４）、および隣接プレートのガイドローラ（４３）の相互の接触を確保することを特徴とする請求項１ないし５のいずれかの１項に記載のドラム。
【手続補正２】
【補正対象書類名】明細書
【補正対象項目名】０００３
【補正方法】変更
【補正の内容】
【０００３】
特許文献１に記載のような解決策が提案されており、この特許文献は交差した連結ロッドにそれぞれ取付けられる僅かに丸天井形であるプレートをカーカスの造形に利用しているドラムを説明している。このドラムは信頼性があると思われるが、引込み位置におけるドラムの受け面の直径と、拡張位置におけるドラムの受け面の直径とのいずれの主な差をも受入れることができず、しかも、ドラムの最小直径は例えば、直径１３インチのリムに取付けるようになっているタイヤを受入れることができない。実際、交差した連結ロッドは、ドラムの引込み位置においてなお大きな空間を取っている。
【手続補正３】
【補正対象書類名】明細書
【補正対象項目名】０００４
【補正方法】変更
【補正の内容】
【０００４】
この種類の他のドラムは、ギヤ機構により夫々作動されるドラム用の受け面を構成するプレートを有する特許文献２に記載されているドラムのようなドラムの引込み位置においてより小さい空間を取るプレートおよびそれらの拡張機構を作成することにより上記問題を解決している。このギヤ機構は、全く異なる曲率半径を有する３つの部分よりなるアームの端部により各々支持された互いに協働する２つのピニオンをプレートごとに備えており、アームの他端部はドラムのボディ上で軸方向に移動可能である。このようなドラムは、ギヤ機構が複雑であるため、狭い範囲内でも造形前の異なる直径のカーカスを有するタイヤを受入れることができない。
異なるものであるが、なお取られる空間のために、特許文献３および特許文献４で提案されている持上げ機構についても同じ所見があてはまる。
特許文献４に開示されているドラムは、固定されたクラウンに連結されたカウンタアームと組み合わされて作用するクラウンの軸方向変位によりドラムの軸線と平行な平面上で傾動するアームに連結されたプレートの組立体を半径方向に持ち上げる機構を備える。この機構もまた、直径の一定した変化をプレートに与える可能性が制限されたままである。なぜならば、本発明に関して以下でわかるように、プレートは、ドラムの軸線と平行な軸線を中心として枢動せず、このことが、引込み位置において低い直径を得る可能性を制限しているからである。
【手続補正４】
【補正対象書類名】明細書
【補正対象項目名】０００５
【補正方法】変更
【補正の内容】
【０００５】
【特許文献１】特公昭第４９−１３６２９号
【特許文献２】フランス特許公報第８３９９１６号
【特許文献３】ドイツ特許公報第２３００３３０号
【特許文献４】米国特許公報第３３６６５２６号
【手続補正５】
【補正対象書類名】明細書
【補正対象項目名】０００７
【補正方法】変更
【補正の内容】
【０００７】
本発明によれば、バレルに取付けられるタイヤカーカスを造形するドラムであって、上記バレルに取付けられ、造形すべきカーカスのビードを保持するための２つの装置と、バレルのまわりに周方向に配置されるプレートの外面すべてにより構成される上記カーカス用の受け面と、バレルおよびUリンクに連結され、ドラムの引込み位置と拡張位置との間でプレートを半径方向に変位させる機械的拡張手段とを備えているドラムにおいて、プレートは、ドラムの軸線と平行な軸線を中心としてプレートを枢動させる各プレートの内面に位置決めされた関節によってUリンクに連結されており、またガイド手段を備えており、該ガイド手段により、各プレートは、その内面に沿って、隣接プレートのガイド手段に圧接してドラムの拡張位置における一定の半径方向高さでの各プレートの外面の位置決めを許容し、且つ関節に対する傾動を許容し、プレートがドラムの引込み位置において互いに重ねられるようになっていることを特徴とする造形ドラムが提供される。
本発明による造形ドラムの効果は、ドラムの引込み位置においてドラムによって取られる空間を減少させ、非常に減少された最小の直径を与えることである。
【手続補正６】
【補正対象書類名】明細書
【補正対象項目名】００１４
【補正方法】変更
【補正の内容】
【００１４】
これらの拡張手段のほかに、ドラム１はプレート３１のドラムの外側に向かう半径方向「上方移動」およびドラムの中心に向かう半径方向「下方移動」を案内するガイド手段（３２、４３、３１２）を有している。実際、プレートに早期摩耗および主な表面欠陥を引き起こしがちである衝撃を回避するために、且つ新たな応力により機械的拡張装置（プレート/アーム/クラウン同期性）を品位低下しがちであり且つプレートの輪郭を変更しがちであるプレート間の摩擦を防ぐように、ドラム、特にプレートの信頼性および寿命およびそれらの変位機構のために、ドラムの引込む位置に重ねられたプレートが整頓/制御式に配置されるのが肝要である。
何故なら、アーム３３、３４は、端部３３１、３４１が関節接合されたUリンク３２により各プレート３１に設けられ、Uリンク３２自身が各プレート３１と一体の第２Uリンク４２により固定されているからである。第２Uリンク４２は第１Uリンク３２に対して関節接合されており、関節接合の軸線はプレートがアーム３３、３４に対して枢動することができるようにドラム１の軸線と平行である。
【手続補正７】
【補正対象書類名】明細書
【補正対象項目名】００１５
【補正方法】変更
【補正の内容】
【００１５】
プレート３１と関連された各Uリンク３２は隣接プレート用のガイド装置を支持している。この目的で、各Uリンク３２は、これが隣接プレートに近接して配置されるようにドラム１の軸線と平行である各プレート３１の横縁部のうちの一方に近接して設けられている。図３および図４でわかるように、各Uリンク３２はこれと関連されたプレート３１の外側に周方向に配置されたガイドローラ４３を支持している。
各プレート３１は、ドラムの中心に対するその内面３１１に、このプレート３１に隣接するプレートに固定されたUリンクにより支持されたローラ４３と協働する周方向に延びるカム３１２を支持している。このカムは、ドラム１の引込む位置および拡張位置に対応する２つの止め位置を最適にするためにそれぞれ隣接プレートのローラを受けるためのハウジング３１３、３１４にプレートの両端で開口している。
【手続補正８】
【補正対象書類名】明細書
【補正対象項目名】００１６
【補正方法】変更
【補正の内容】
【００１６】
ドラム１の引込み位置はドラムの中心に最も近くであり、互いに重ねられたプレート３１の半径方向位置、およびプレート３１の外面３１０が円筒形表面をなしていて、ドラムの中心から半径方向に間隔を隔てたプレートの半径方向位置に対応している。
有利には、全く同一の組のプレートについて数ミリ程度の拡張直径を得るためにプレート間の遊びに影響することを可能にする調整手段の対策をとるのがよい。かくして、ハウジング３１３の周方向長さに作用することにより、拡張直径の狭い範囲に対応するローラ４３の接触位置の狭い範囲がもたらされ、所望直径の決定はピストン/シリンダユニット４０の止め壁部４０２の軸方向固定により行われる。
しかも、各プレート３１は、ドラムの拡張位置に対応する唯一限界位置においてプレート間に追加の支持体を構成するために上記ローラと周方向に実質的に整合されてローラ４３の軸方向に両側に配置された接触ねじ４４を支持している。対称および安定性の理由で、２つの接触ねじの存在が満足であると思われる。
【手続補正９】
【補正対象書類名】明細書
【補正対象項目名】００１７
【補正方法】変更
【補正の内容】
【００１７】
図５はUリンク４２用のねじを固定するための通し穴３１５をプレート３１の内面に示している。
このガイド装置の作用は、異なる要素の参照符号に付した記号A、Bを２つの隣接プレート３１A、３１Bに対応して使用する図３を参照してよく理解されるであろう。
図３において、ドラムは拡張位置にあり、従って、プレートはドラムの中心から最も遠い位置にあり、可動クラウン３５は固定クラウン３７に最も近い。
この位置では、プレート３１A、１３Bは接触状態ではなく並んでいるが、プレート３１Bに繋がれたUリンク３２Bにより支持されたローラ４３Bはプレート３１Aと接触しており、より正確には、カム３２１Aの端部のうちの一方に位置決めされたハウジング３１３のプレートA（図３では見ることができない）内に支持されている。プレート３１Aとローラ４３Bとの接触は図２に示す弾性スリーブ４１により維持される。
【手続補正１０】
【補正対象書類名】明細書
【補正対象項目名】００１８
【補正方法】変更
【補正の内容】
【００１８】
ドラム１をその拡張位置からその引込み位置に向けて移動させるために、ピストン／シリンダユニット４０をドラムの外側に向かうピストンの変位で作動し、かくしてピストンを固定クラウン３７から離れる方向に移動させることによりクラウン３５の軸方向変位を伴う。次いで、プレート３１を作動するアーム３３、３４がカウンタアーム３６により生じる係止により傾動し、ドラムの中心に向かう上記プレートの半径方向変位を伴う。
ドラムの中心に向かうこの移動中、プレートはガイドローラ４３により、且つローラとプレートとの接触を維持する弾性スリーブ４１の力により互いに接触したままである。かくして、プレート３１A、３１Bはそれらの夫々のアーム３３A、３４A、３３B、３４Bによりドラムの中心に向けて半径方向に連行され、そしてローラ４３Bはかむ３１２Aに追従し、これによりプレート３１Bを内面３１１AとプレートBの外面３１０との間の最小の遊びでプレート３１Aの下を摺動するように駆動する。
プレート３１の半径方向の移動時のこの位置決めは軸線３８を中心としたUリンク３２に対するプレートの枢動の自由度により可能である。この構成によれば、プレートのための輪郭、特に肩部についての輪郭の非常に幅広い範囲を受入れることが効果的に可能である。
【手続補正１１】
【補正対象書類名】明細書
【補正対象項目名】００１９
【補正方法】変更
【補正の内容】
【００１９】
ローラ４３Bがカム３１２Aの経路の端部に達すると、ローラ４３BはプレートA（図３では見ることができない）のハウジング３１４と接触してドラムの最適な引込み位置に対応するプレートの第２限界位置を定める。この引込み位置では、プレート３１は互いを大きく覆う。
ドラムの引込み位置から拡張位置までの逆の移動は以上に説明したことから異なることなしに推論することができる。
従って、このドラムは、割合的に低い幅を有していても非常に大きい直径のタイヤおよび非常に大きい直径および非常に大きい幅のタイヤの両方を製造することが可能である。何故なら、タイヤを載置する主応力を受入れることを可能にする受け面の信頼性を確保しながら、引込み位置において小さい直径および拡張位置において非常に大きい直径の受け面を有するドラムを得ることが可能であるからである。かくして、直径１３インチおよび直径２２インチのリムに均等に取付けるようになっているタイヤを受入れることが可能であり、またタイヤのカーカスの直径の増大を２００％程度にすることが可能である。
【手続補正１２】
【補正対象書類名】明細書
【補正対象項目名】００２０
【補正方法】変更
【補正の内容】
【００２０】
しかも、異なる外径のタイヤを造形前には１つの同じ直径のカーカスで製造するために、先に述べたように、差がたった数ミリである場合の可能な変化を除いてプレートすべてを変更することが必要である。しかしながら、ドラムの残部およびプレートを変位させるための機構の残部が同じままであるので、Uリンク４２をプレートに固定する２つのねじを急速の分解することだけが必要である。実際、造形前には１つの同じ直径のカーカスにおいて、プレートだけが寸法性であり、ドラムの残部すべてが多寸法性である。